【事件の表示】
　特願２０００−３５２４９９「情報検索装置、情報検索方法、情報検索システムおよび記録媒体」拒絶査定不服審判事件〔平成１４年　５月３１日出願公開、特開２００２−１５７２７７〕について、次のとおり審決する。
【結　論】
　本件審判の請求は、成り立たない。
【理　由】
第１　手続の経緯
　
　本願は、平成１２年１１月２０日の出願であって、平成１９年１１月１６日付けで審査請求がなされ、平成２２年５月７日付けで拒絶理由通知（同年５月１１日発送）がなされ、同年７月１２日付けで意見書が提出されるとともに、同日付けで手続補正がなされたが、同年９月２日付けで拒絶査定（同年９月７日謄本送達）がなされ、これに対して、同年１２月７日付けで審判請求がなされるとともに、同日付けで手続補正がなされたものである。
　そして、平成２３年１月３１日付けで審査官により特許法第１６４条第３項に定める報告（前置報告）がなされ、平成２４年４月２４日付けで当審により特許法第１３４条第４項の規定に基づく審尋（同年４月２６日発送）がなされ、同年６月２５日付けで回答書の提出があったものである。
　
　
第２　平成２２年１２月７日付けの手続補正についての補正却下の決定
　
［補正却下の決定の結論］
　
　平成２２年１２月７日付けの手続補正を却下する。
　
［理由］
　
１．補正の内容
　
　平成２２年１２月７日付けの手続補正（以下、「本件補正」という。）の内容は、平成２２年７月１２日付けの手続補正により補正された特許請求の範囲の請求項１ないし請求項８の記載
　
「【請求項１】
　所定の順序に一列に配列された複数の蓄積情報の中から検索すべき特定情報となる蓄積情報を表示させるために、
　複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段に表示される前記蓄積情報を変更して表示させる蓄積情報表示変更手段とを備えた情報検索装置において、
　前記蓄積情報表示変更手段は、前記複数の蓄積情報の全範囲の中から前記配列方向の略中央に配列される所定量の蓄積情報を前記表示手段に表示させ、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示手段に表示させ、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を選択し、選択された範囲の略中央に配列される所定量の蓄積情報を表示手段に表示させ、
　前記蓄積情報表示手段は、前記表示手段の表示画面に、所定量の前記蓄積情報を前記所定の順序の配列方向に並べて表示するとともに、前記表示画面の所定量の前記蓄積情報が表示された位置より表示上の前記蓄積情報の配列方向の一方向側の位置に、全範囲の前記蓄積情報のうちの一方向側で最も端に配列される蓄積情報を表示し、かつ、前記表示画面の所定量の前記蓄積情報が表示された位置より表示上の前記蓄積情報の配列方向の他方向側の位置に、全範囲の前記蓄積情報のうちの他方向側で最も端に配列される蓄積情報を表示することを特徴とする情報検索装置。
【請求項２】
　前記蓄積情報表示変更手段は、前記蓄積情報の全範囲または選択された範囲から、前記表示手段に表示されている所定量の蓄積情報に対して前記入力手段に指定された配列方向側となる略半分の範囲を選択する際に、前記表示手段に表示されている所定量の前記蓄積情報を選択される範囲から除くことを特徴とする請求項１に記載の情報検索装置。
【請求項３】
　複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段に表示される前記蓄積情報を変更して表示させる蓄積情報表示変更手段とを備えた情報検索装置に、所定の順序に一列に配列された複数の蓄積情報の中から検索すべき特定情報となる蓄積情報を表示させるための情報検索方法において、
　前記複数の蓄積情報の全範囲の中から前記配列方向の略中央に配列される所定量の蓄積情報を前記表示手段に表示させ、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示手段に表示させ、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を選択し、選択された範囲の略中央に配列される所定量の蓄積情報を表示手段に表示させ、
　前記表示手段の表示画面に、所定量の前記蓄積情報を前記所定の順序の配列方向に並べて表示するとともに、前記表示画面の所定量の前記蓄積情報が表示された位置より表示上の前記蓄積情報の配列方向の一方向側の位置に、全範囲の前記蓄積情報のうちの一方向側で最も端に配列される蓄積情報を表示し、かつ、前記表示画面の所定量の前記蓄積情報が表示された位置より表示上の前記蓄積情報の配列方向の他方向側の位置に、全範囲の前記蓄積情報のうちの他方向側で最も端に配列される蓄積情報を表示することを特徴とする情報検索方法。
【請求項４】
　前記蓄積情報の全範囲または選択された範囲から、前記表示手段に表示されている所定量の蓄積情報に対して前記入力手段に指定された配列方向側となる略半分の範囲を選択する際に、前記表示手段に表示されている所定量の前記蓄積情報を選択される範囲から除くことを特徴とする請求項３に記載の情報検索方法。
【請求項５】
　複数の蓄積情報を送信する情報提供手段を有するとともに、
　所定の順序に一列に配列された複数の蓄積情報の中から検索すべき特定情報となる蓄積情報を表示させるために、
　前記情報提供手段から送信された蓄積情報を受信する通信手段と、
　前記通信手段で受信した複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段に表示される前記蓄積情報を変更して表示させる蓄積情報表示変更手段とを備えた情報検索装置を有する情報検索システムにおいて、
　前記蓄積情報表示変更手段は、前記複数の蓄積情報の全範囲の中から前記配列方向の略中央に配列される所定量の蓄積情報を前記表示手段に表示させ、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示手段に表示させ、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となるさらに略半分の範囲を選択し、選択された範囲の略中央に配列される所定量の蓄積情報を表示手段に表示させ、
　前記蓄積情報表示手段は、前記表示手段の表示画面に、所定量の前記蓄積情報を前記所定の順序の配列方向に並べて表示するとともに、前記表示画面の所定量の前記蓄積情報が表示された位置より表示上の前記蓄積情報の配列方向の一方向側の位置に、全範囲の前記蓄積情報のうちの一方向側で最も端に配列される蓄積情報を表示し、かつ、前記表示画面の所定量の前記蓄積情報が表示された位置より表示上の前記蓄積情報の配列方向の他方向側の位置に、全範囲の前記蓄積情報のうちの他方向側で最も端に配列される蓄積情報を表示することを特徴とする情報検索システム。
【請求項６】
　前記蓄積情報表示変更手段は、前記蓄積情報の全範囲または選択された範囲から、前記表示手段に表示されている所定量の蓄積情報に対して前記入力手段に指定された配列方向側となる略半分の範囲を選択する際に、前記表示手段に表示されている所定量の前記蓄積情報を選択される範囲から除くことを特徴とする請求項５に記載の情報検索システム。
【請求項７】
　所定の順序に一列に配列された複数の蓄積情報の中から検索すべき特定情報となる蓄積情報を表示させるために、
　複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段に表示される前記蓄積情報を変更して表示させる蓄積情報表示変更手段とを備えた情報検索装置に、
　前記複数の蓄積情報の全範囲の中から前記配列方向の略中央に配列される所定量の蓄積情報を前記表示手段に表示させるステップと、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示手段に表示させるステップと、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を選択し、選択された範囲の略中央に配列される所定量の蓄積情報を表示手段に表示させるステップと、
　前記表示手段の表示画面に、所定量の前記蓄積情報を前記所定の順序の配列方向に並べて表示するとともに、前記表示画面の所定量の前記蓄積情報が表示された位置より表示上の前記蓄積情報の配列方向の一方向側の位置に、全範囲の前記蓄積情報のうちの一方向側で最も端に配列される蓄積情報を表示させ、かつ、前記表示画面の所定量の前記蓄積情報が表示された位置より表示上の前記蓄積情報の配列方向の他方向側の位置に、全範囲の前記蓄積情報のうちの他方向側で最も端に配列される蓄積情報を表示させるステップと、
　を実行させるプログラムが記憶されていることを特徴とするコンピュータ読み取り可能な記録媒体。
【請求項８】
　前記蓄積情報の全範囲または選択された範囲から、前記表示手段に表示されている所定量の蓄積情報に対して前記入力手段に指定された配列方向側となる略半分の範囲を選択する際に、前記表示手段に表示されている所定量の前記蓄積情報を選択される範囲から除くステップを実行させるプログラムが記録されたことを特徴とする請求項７に記載のコンピュータ読み取り可能な記録媒体。」（以下、この特許請求の範囲に記載された請求項を「補正前の請求項」という。）
　
を、
　
「【請求項１】
　所定の順序に一列に配列された複数の蓄積情報の中から検索すべき特定情報となる蓄積情報を表示させるために、
　複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段の表示画面に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段の表示画面に表示される前記蓄積情報を変更して表示させる蓄積情報表示変更手段とを備えた情報検索装置において、
　前記蓄積情報表示手段は、前記複数の蓄積情報の全範囲の中から前記配列方向の略中央に配列される所定量の蓄積情報を前記表示手段の表示画面に表示させるとともに、
　前記表示画面の所定量の前記蓄積情報が表示された位置より表示上の前記蓄積情報の配列方向の一方向側になる一方向側位置に、全範囲の前記蓄積情報のうちの前記配列方向の一方向側で最も端に配列される蓄積情報を表示し、かつ、前記表示画面の所定量の前記蓄積情報が表示された位置より表示上の前記蓄積情報の配列方向の他方向側になる他方向側位置に、全範囲の前記蓄積情報のうちの他方向側で最も端に配列される蓄積情報を表示させ、
　前記蓄積情報表示変更手段は、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示画面に表示させるとともに、
　前記一方向側位置に、前記選択された範囲の前記蓄積情報のうちの前記配列方向の一方向側で最も端に配列される蓄積情報を表示し、かつ、前記他方向側位置に、前記選択された範囲の前記蓄積情報のうちの他方向側で最も端に配列される蓄積情報を表示させ、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を新たに選択し、選択された範囲の略中央に配列される所定量の蓄積情報を表示画面に表示させるとともに、
　新たな範囲が選択される度に、前記一方向側位置に、新たに選択された範囲の前記蓄積情報のうちの前記配列方向の一方向側で最も端に配列される蓄積情報を表示し、かつ、前記他方向側位置に、新たに選択された範囲の前記蓄積情報のうちの他方向側で最も端に配列される蓄積情報を表示させることを特徴とする情報検索装置。
【請求項２】
　前記蓄積情報表示変更手段は、前記蓄積情報の全範囲または選択された範囲から、前記表示手段に表示されている所定量の蓄積情報に対して前記入力手段に指定された配列方向側となる略半分の範囲を選択する際に、前記表示手段に表示されている所定量の前記蓄積情報を選択される範囲から除くことを特徴とする請求項１に記載の情報検索装置。
【請求項３】
　複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段の表示画面に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段の表示画面に表示される前記蓄積情報を変更して表示させる蓄積情報表示変更手段とを備えた情報検索装置に、所定の順序に一列に配列された複数の蓄積情報の中から検索すべき特定情報となる蓄積情報を表示させるための情報検索方法において、
　前記蓄積情報表示手段は、前記複数の蓄積情報の全範囲の中から前記配列方向の略中央に配列される所定量の蓄積情報を前記表示手段の表示画面に表示させるとともに、
　前記表示画面の所定量の前記蓄積情報が表示された位置より表示上の前記蓄積情報の配列方向の一方向側になる一方向側位置に、全範囲の前記蓄積情報のうちの前記配列方向の一方向側で最も端に配列される蓄積情報を表示し、かつ、前記表示画面の所定量の前記蓄積情報が表示された位置より表示上の前記蓄積情報の配列方向の他方向側になる他方向側位置に、全範囲の前記蓄積情報のうちの他方向側で最も端に配列される蓄積情報を表示させ、
　前記蓄積情報表示変更手段は、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示画面に表示させるとともに、
　前記一方向側位置に、前記選択された範囲の前記蓄積情報のうちの前記配列方向の一方向側で最も端に配列される蓄積情報を表示し、かつ、前記他方向側位置に、前記選択された範囲の前記蓄積情報のうちの他方向側で最も端に配列される蓄積情報を表示させ、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を新たに選択し、選択された範囲の略中央に配列される所定量の蓄積情報を表示画面に表示させるとともに、
　新たな範囲が選択される度に、前記一方向側位置に、新たに選択された範囲の前記蓄積情報のうちの前記配列方向の一方向側で最も端に配列される蓄積情報を表示し、かつ、前記他方向側位置に、新たに選択された範囲の前記蓄積情報のうちの他方向側で最も端に配列される蓄積情報を表示させることを特徴とする情報検索方法。
【請求項４】
　前記蓄積情報表示変更手段は、前記蓄積情報の全範囲または選択された範囲から、前記表示手段に表示されている所定量の蓄積情報に対して前記入力手段に指定された配列方向側となる略半分の範囲を選択する際に、前記表示手段に表示されている所定量の前記蓄積情報を選択される範囲から除くことを特徴とする請求項３に記載の情報検索方法。
【請求項５】
　複数の蓄積情報を送信する情報提供手段を有するとともに、
　所定の順序に一列に配列された複数の蓄積情報の中から検索すべき特定情報となる蓄積情報を表示させるために、
　前記情報提供手段から送信された蓄積情報を受信する通信手段と、
　前記通信手段で受信した複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段の表示画面に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段の表示画面に表示される前記蓄積情報を変更して表示させる蓄積情報表示変更手段とを備えた情報検索装置を有する情報検索システムにおいて、
　前記蓄積情報表示手段は、前記複数の蓄積情報の全範囲の中から前記配列方向の略中央に配列される所定量の蓄積情報を前記表示手段の表示画面に表示させるとともに、
　前記表示画面の所定量の前記蓄積情報が表示された位置より表示上の前記蓄積情報の配列方向の一方向側になる一方向側位置に、全範囲の前記蓄積情報のうちの前記配列方向の一方向側で最も端に配列される蓄積情報を表示し、かつ、前記表示画面の所定量の前記蓄積情報が表示された位置より表示上の前記蓄積情報の配列方向の他方向側になる他方向側位置に、全範囲の前記蓄積情報のうちの他方向側で最も端に配列される蓄積情報を表示させ、
　前記蓄積情報表示変更手段は、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示画面に表示させるとともに、
　前記一方向側位置に、前記選択された範囲の前記蓄積情報のうちの前記配列方向の一方向側で最も端に配列される蓄積情報を表示し、かつ、前記他方向側位置に、前記選択された範囲の前記蓄積情報のうちの他方向側で最も端に配列される蓄積情報を表示させ、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を新たに選択し、選択された範囲の略中央に配列される所定量の蓄積情報を表示画面に表示させるとともに、
　新たな範囲が選択される度に、前記一方向側位置に、新たに選択された範囲の前記蓄積情報のうちの前記配列方向の一方向側で最も端に配列される蓄積情報を表示し、かつ、前記他方向側位置に、新たに選択された範囲の前記蓄積情報のうちの他方向側で最も端に配列される蓄積情報を表示させることを特徴とする情報検索システム。
【請求項６】
　前記蓄積情報表示変更手段は、前記蓄積情報の全範囲または選択された範囲から、前記表示手段に表示されている所定量の蓄積情報に対して前記入力手段に指定された配列方向側となる略半分の範囲を選択する際に、前記表示手段に表示されている所定量の前記蓄積情報を選択される範囲から除くことを特徴とする請求項５に記載の情報検索システム。
【請求項７】
　所定の順序に一列に配列された複数の蓄積情報の中から検索すべき特定情報となる蓄積情報を表示させるために、
　複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段の表示画面に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段の表示画面に表示される前記蓄積情報を変更して表示させる蓄積情報表示変更手段とを備えた情報検索装置に、
　前記蓄積情報表示手段によって、前記複数の蓄積情報の全範囲の中から前記配列方向の略中央に配列される所定量の蓄積情報を前記表示手段の表示画面に表示させるとともに、
　前記表示画面の所定量の前記蓄積情報が表示された位置より表示上の前記蓄積情報の配列方向の一方向側になる一方向側位置に、全範囲の前記蓄積情報のうちの前記配列方向の一方向側で最も端に配列される蓄積情報を表示し、かつ、前記表示画面の所定量の前記蓄積情報が表示された位置より表示上の前記蓄積情報の配列方向の他方向側になる他方向側位置に、全範囲の前記蓄積情報のうちの他方向側で最も端に配列される蓄積情報を表示させるステップと、
　前記蓄積情報表示変更手段によって、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示画面に表示させるとともに、
　前記一方向側位置に、前記選択された範囲の前記蓄積情報のうちの前記配列方向の一方向側で最も端に配列される蓄積情報を表示し、かつ、前記他方向側位置に、前記選択された範囲の前記蓄積情報のうちの他方向側で最も端に配列される蓄積情報を表示させ、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を新たに選択し、選択された範囲の略中央に配列される所定量の蓄積情報を表示画面に表示させるとともに、
　新たな範囲が選択される度に、前記一方向側位置に、新たに選択された範囲の前記蓄積情報のうちの前記配列方向の一方向側で最も端に配列される蓄積情報を表示し、かつ、前記他方向側位置に、新たに選択された範囲の前記蓄積情報のうちの他方向側で最も端に配列される蓄積情報を表示させるステップと、
　を実行させるプログラムが記憶されていることを特徴とするコンピュータ読み取り可能な記録媒体。
【請求項８】
　前記蓄積情報表示変更手段によって、前記蓄積情報の全範囲または選択された範囲から、前記表示手段に表示されている所定量の蓄積情報に対して前記入力手段に指定された配列方向側となる略半分の範囲を選択する際に、前記表示手段に表示されている所定量の前記蓄積情報を選択される範囲から除くステップを実行させるプログラムが記録されたことを特徴とする請求項７に記載のコンピュータ読み取り可能な記録媒体。」（以下、この特許請求の範囲に記載された請求項を「補正後の請求項」という。）
　
に補正することを含むものである。
　
２．新規事項の有無、補正の目的要件
　
　本件補正は、願書に最初に添付した明細書、特許請求の範囲又は図面に記載した事項の範囲内においてなされており、特許法第１７条の２第３項の規定に適合している。
　
　そして、本件補正は、本件補正前の請求項１、３、５、７記載の発明を特定するための事項（以下、「発明特定事項」という。）であるところの、
　
「表示手段に表示」を、より下位の「表示手段の表示画面に表示」に限定するとともに、
　
「前記蓄積情報表示変更手段」について、「前記一方向側位置に、前記選択された範囲の前記蓄積情報のうちの前記配列方向の一方向側で最も端に配列される蓄積情報を表示し、かつ、前記他方向側位置に、前記選択された範囲の前記蓄積情報のうちの他方向側で最も端に配列される蓄積情報を表示させ」及び「新たな範囲が選択される度に、前記一方向側位置に、新たに選択された範囲の前記蓄積情報のうちの前記配列方向の一方向側で最も端に配列される蓄積情報を表示し、かつ、前記他方向側位置に、新たに選択された範囲の前記蓄積情報のうちの他方向側で最も端に配列される蓄積情報を表示させる」という限定を行ったものである。
　
　そして、これらの限定によって、本件補正前後の請求項１、３、５、７に係る発明の産業上の利用分野及び解決しようとする課題が格別変更されるものではない。
　
　したがって、本件補正の目的は、請求項に記載した発明特定事項を限定するものであって、その補正前の当該請求項に記載された発明とその補正後の当該請求項に記載される発明の産業上の利用分野及び解決しようとする課題が同一であるもの（以下、「限定的減縮」という。）に該当し、特許法第１７条の２第４項第２号に掲げられる事項を目的とするものであると解することができる。
　
３．独立特許要件
　
　以上のように、本件補正後の請求項１に記載された発明（以下、「本願補正発明」という。）は、補正前の請求項１に対して、限定的減縮を行ったものと認められる。そこで、本願補正発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）以下に検討する。
　
（１）補正後の発明
　
　本件補正により、本願補正発明は、前記「１．補正の内容」の補正後の請求項１に記載されたとおりのものである。
　
（２）先行技術
　
（２−１）引用文献に記載されている技術的事項及び引用発明の認定
　
　本願の出願前に頒布され、原審の拒絶の査定の理由である上記平成２２年５月７日付けの拒絶理由通知において引用された、特開平４−２８７０９７号公報（平成４年１０月１２日出願公開。以下、「引用文献」という。）には、図面とともに、下記引用文献記載事項が記載されている。
（当審注：下線は、参考のために当審で付与したものである。また、引用文献には丸印のなかに数字が記載されている表記がある。以下では、そのような表記については“○ｘ”（ｘは任意の整数）にて代用して表記することにする。）
　
Ａ　「【０００１】
【産業上の利用分野】
本発明は、画面のスクロールを行うスクロール方式に関するもの
　
Ｂ　「【０００３】
【発明が解決しようとする課題】しかし、
１画面分をスクロールするスクロールキーを押下して順次表示させて所望のデータを探したのでは、スクロールするのに多くの時間が必要になってしまう
　
Ｃ　「【０００９】
画面スクロール処理部２は、端末５のキーボードに設けたスクロールキー（例えば特定のＰＦキー）を押下して本実施例に係わるスクロールを指示したとき、画面上の先頭行を１次指標としてファイルの最終行を２次指標とし、これら１次指標と２次指標との間の行数の半分だけ、スクロール方向に移動して表示し、次のスクロールキーの押下に対応して更に半分だけ、スクロール方向に移動して表示
　
Ｄ　「【００１０】
バッファ３は、外部記憶装置に格納されているファイルを読み出し展開するメモリである。
データを表示するディスプレイ
スクロールキーなどを持つキーボード
　
Ｅ　「【００１１】図１の（ロ）において、
メンバ名一覧のデータは、ファイル４の例である。
左側の（ａ）ないし（ｅ）の点線の範囲は、端末５の画面上に表示する範囲を示す。次に動作を説明する。
（ａ）は、データを画面に初期表示した範囲を示す。ここで、○１が画面の先頭行（＝１次指標）である。
　
Ｆ　「【００１８】図２は、本発明の動作説明フローチャート（データ全量判明時）を示す。図２において、Ｓ１は、コマンド／ＰＦキーの入力処理を行う。Ｓ２は、二分機能終了コマンドか否かを判別する。これは、本実施例に係わる二分機能を終了させるコマンドが入力されたか否かを判別する。ＹＥＳの場合には、Ｓ３で二分スクロール処理中状態を取消し、Ｓ４で二分機能状態を取り消し、Ｓ１を行う。一方、ＮＯの場合には、Ｓ５で二分機能の開始コマンドか否かを判別し、ＹＥＳのときにＳ６で二分スクロール処理中状態を取消し、Ｓ７で二分機能状態を設定し、Ｓ１を行い、一方、ＮＯのとき（スクロール中のとき）はＳ８に進む。
【００１９】Ｓ８は、スクロールキーの押下か否かを判別する。ＹＥＳの場合には、Ｓ９に進む。ＮＯの場合には、Ｓ１７で他のコマンド／ＰＦキーの処理を行い、Ｓ１以降を繰り返し行う。Ｓ９は、二分機能状態か否かを判別する。ＹＥＳの場合には、Ｓ１１に進む。ＮＯの場合には、Ｓ１０で通常の１画面分指定方向へ移動し表示する。
【００２０】以上の処理によって、二分機能の開始コマンドが投入されたときは二分機能状態を設定し（Ｓ１、Ｓ２のＮＯ、Ｓ５のＹＥＳ、Ｓ６、Ｓ７）、二分機能の終了コマンドが投入されたときは二分スクロール処理中状態および二分機能状態の両者を取消し（Ｓ１、Ｓ２のＹＥＳ、Ｓ３、Ｓ４）、二分機能の終了コマンドおよび開始コマンドのいずれでもない場合にはスクロールキーの押下であって、かつ二分機能状態のときのみ（Ｓ１、Ｓ２のＮＯ、Ｓ５のＮＯ、Ｓ８のＹＥＳ、Ｓ９のＹＥＳ）、本実施例の二分機能によるスクロールを行う（Ｓ１１ないしＳ１６）。
【００２１】Ｓ１１は、二分スクロール処理中状態か否かを判別する。ＮＯの場合（二分スクロール処理中状態でない場合）、即ち本実施例に係わるスクロールキーが最初に押下された場合、Ｓ１２で（２次指標−１次指標）÷２を移動量として求め、Ｓ１３で二分スクロール処理中状態とし、Ｓ１５で表示開始位置を移動量分スクロールキーで指定された方向に移動し、Ｓ１６で画面に表示する。具体的に言えば、既述した図１の（ロ）において、スクロールキーを最初に押下したときの画面上の先頭行○１（＝１次指標）と、スクロール方向の例えば最終行である位置○２（＝２次指標）を求め、（２次指標−１次指標）÷２の移動量分だけスクロール方向に移動した位置を表示する。一方、Ｓ１１でＹＥＳの場合には、既に本実施例に係わる二分機能によるスクロールを開始してＳ１３で二分スクロール処理中状態と設定されていたので、Ｓ１４で移動量を半分にし、Ｓ１５で表示開始位置を移動量分スクロールキーで指定された方向に移動し、Ｓ１６で画面上に表示する。具体的に言えば、既述した図１の（ロ）において、スクロールキーを２回目に押下した位置○３の状態から、（２次指標−１次指標）÷２÷２だけスクロール方向の位置○４を表示する。
【００２２】以上の処理によって、二分機能開始コマンドを投入したときに（２次指標−１次指標）÷２だけスクロール方向の位置を表示し、それ以降の二分スクロール処理中状態のときに更に半分だけスクロール方向の位置を表示することを繰り返し行い、少ないキータッチで迅速に目的とする位置のデータを表示することが可能となる。」
　
Ｇ　「【符号の説明】
１：画面処理システム
…（後略）」
　
（ア）上記Ａの「本発明は、画面のスクロールを行うスクロール方式に関するもの」との記載、上記Ｂの「スクロールキーを押下して順次表示させて所望のデータを探したのでは、スクロールするのに多くの時間が必要になってしまう」との記載、上記Ｄの「外部記憶装置に格納されているファイル」との記載、上記Ｅの「メンバ名一覧のデータは、ファイル４の例である。」との記載、及び関連する図１を参照すると、データは画面のスクロールを行うことにより順次表示されるものであることから、当該データは所定の順序に一列に配列されているものと認められる。してみると、引用文献には、
　所定の順序に一列に配列された複数のデータの中から検索すべき所望のデータとなるデータを表示させる
態様が記載されていると解される。
　
（イ）上記Ｄの「外部記憶装置に格納されているファイル」との記載からすると、引用文献には、
　複数のデータを格納する外部記憶装置
が記載されている。
　
（ウ）上記Ｄの「外部記憶装置に格納されているファイル」、「データを表示するディスプレイ」との記載からすると、引用文献には、
　外部記憶装置に格納されたデータを表示する手段（以下、「表示手段」という。）
が記載されている。
　
（エ）上記（ア）における認定、上記Ｂの「１画面分をスクロールする」との記載、上記Ｄの「バッファ３は、外部記憶装置に格納されているファイルを読み出し展開するメモリである。」、「データを表示するディスプレイ」との記載、上記Ｅの「左側の（ａ）ないし（ｅ）の点線の範囲は、端末５の画面上に表示する範囲を示す。」との記載、及び関連する図１を参照すると、外部記憶装置に格納されているデータを一列に配列するようにディスプレイに表示させるために、当該データを所定の順序に一列に配列するようにメモリに展開しているものと認められる。してみると、引用文献には、
　データを所定の順序に一列に配列し、当該データのうちの一部である１画面分のデータを前記所定の順序の配列方向に並べて表示手段のディスプレイに表示させる手段（以下、「データ表示手段」という。）
が記載されていると解される。
　
（オ）上記Ｃの「画面スクロール処理部２は、端末５のキーボードに設けたスクロールキー（例えば特定のＰＦキー）を押下して本実施例に係わるスクロールを指示したとき、画面上の先頭行を１次指標としてファイルの最終行を２次指標とし、これら１次指標と２次指標との間の行数の半分だけ、スクロール方向に移動して表示し、次のスクロールキーの押下に対応して更に半分だけ、スクロール方向に移動して表示」との記載、上記Ｄの「スクロールキーなどを持つキーボード」との記載からすると、キーボードに設けたスクロールキーを押下することは、入力操作を行っていることに他ならず、また、行に対してスクロールを行っていることは、配列方向の一方向側もしくは他方向側にスクロールを行っていることに他ならない。してみると、引用文献には、
　表示手段に表示されたデータに対して、入力操作に基づき所定の順序の配列方向のうちの一方向側もしくは他方向側を指定する入力を行う手段（以下、「入力手段」という。）と、
　前記入力手段からの入力に基づいて、データ表示手段を介して前記表示手段のディスプレイに表示される前記データを変更して表示させる手段（以下、「データ表示変更手段」という。）
が記載されていると解される。
　
（カ）上記Ｇの「１：画面処理システム」との記載、及び関連する図１を参照すると、引用文献には、
　画面処理システム
が記載されている。
　
（キ）上記Ｅの「（ａ）は、データを画面に初期表示した範囲を示す。ここで、○１が画面の先頭行（＝１次指標）である。」との記載、及び関連する図１を参照すると、引用文献には、
　データ表示手段は、複数のデータの全範囲の中から、先頭行から１画面分のデータを表示手段のディスプレイに表示させる
態様が記載されていると解される。
　
（ク）上記（オ）における認定、上記Ｃの「画面スクロール処理部２は、端末５のキーボードに設けたスクロールキー（例えば特定のＰＦキー）を押下して本実施例に係わるスクロールを指示したとき、画面上の先頭行を１次指標としてファイルの最終行を２次指標とし、これら１次指標と２次指標との間の行数の半分だけ、スクロール方向に移動して表示し、次のスクロールキーの押下に対応して更に半分だけ、スクロール方向に移動して表示することを繰り返すようにしている」との記載、及び関連する図１を参照すると、引用文献には、
　データ表示変更手段は、
　入力手段から配列方向の一方向側もしくは他方向側を指定する入力がある場合に、画面上の先頭行を１次指標としてファイルの最終行を２次指標とし、これら１次指標と２次指標との間の行数の半分だけ、スクロール方向に移動して１画面分のデータをディスプレイに表示させ、
　前記入力手段から前記配列方向を指定する入力がある毎に、その前の前記入力手段からの配列方向の指定時に選択された範囲から、画面上の先頭行を１次指標としてスクロール方向の最終行を２次指標とし、これら１次指標と２次指標との間の行数の半分だけ、スクロール方向に移動して１画面分のデータをディスプレイに表示させる
態様が記載されていると解される。
　
　以上、（ア）ないし（ク）で指摘した事項から、引用文献には、次の発明（以下、「引用発明」という。）が記載されているものと認める。
　
　所定の順序に一列に配列された複数のデータの中から検索すべき所望のデータとなるデータを表示させるために、
　複数の前記データを格納する外部記憶装置と、
　前記外部記憶装置に格納されたデータを表示する表示手段と、
　前記データを所定の順序に一列に配列し、当該データのうちの一部である１画面分のデータを前記所定の順序の配列方向に並べて前記表示手段のディスプレイに表示させるデータ表示手段と、
　前記表示手段に表示されたデータに対して、入力操作に基づき前記所定の順序の配列方向のうちの一方向側もしくは他方向側を指定する入力を行う入力手段と、
　前記入力手段からの入力に基づいて、前記データ表示手段を介して前記表示手段のディスプレイに表示される前記データを変更して表示させるデータ表示変更手段とを備えた画面処理システムにおいて、
　前記データ表示手段は、前記複数のデータの全範囲の中から、先頭行から１画面分のデータを前記表示手段のディスプレイに表示させ、
　前記データ表示変更手段は、
　前記入力手段から前記配列方向の一方向側もしくは他方向側を指定する入力がある場合に、画面上の先頭行を１次指標としてファイルの最終行を２次指標とし、これら１次指標と２次指標との間の行数の半分だけ、スクロール方向に移動して１画面分のデータを前記ディスプレイに表示させ、
　前記入力手段から前記配列方向を指定する入力がある毎に、その前の前記入力手段からの配列方向の指定時に選択された範囲から、画面上の先頭行を１次指標としてスクロール方向の最終行を２次指標とし、これら１次指標と２次指標との間の行数の半分だけ、スクロール方向に移動して１画面分のデータを前記ディスプレイに表示させることを特徴とする画面処理システム。
　
（２−２）参考文献に記載されている技術的事項及び周知技術の認定
　
　本願の出願前に頒布された刊行物である特開平９−１９８２２４号公報（平成９年７月３１日出願公開。以下、「参考文献１」という。）には、図面とともに、下記技術的事項が記載されている。
　
Ｈ　「【００１７】動作中、ユーザは、まず最大範囲値と最小範囲値を指定し、これらの値は、それぞれ範囲セレクタ・バーの最大範囲値ウィンドウと最小範囲値ウィンドウに表示される。次に、ユーザは、サブレンジの最大値と最小値を指定し、これらの値は、それぞれサブレンジ・スライダ・バーの最大範囲値ウィンドウと最小範囲値ウィンドウに表示される。これらの最大値および最小値は、ポインティング装置または矢印キーによって、中央範囲スライダの上側または下側でこれに対して相対的に上範囲スライダと下範囲スライダの位置を決めることによって指定できる。最大範囲値ウィンドウと最小範囲値ウィンドウの間の中央範囲スライダの位置によって、中央範囲スライダに関連する範囲値ウィンドウに表示される値が決定される。
【００１８】中央範囲スライダを上下に移動すると、この数が増減するが、この増減は、ユーザが中央スライダを範囲スライダ・バー最大範囲値ウィンドウに隣接するまで上に移動したか、範囲スライダ・バー最小範囲値ウィンドウに隣接する間で下に移動したかに応じて、中央スライダに最大範囲値または最小範囲値が表示されるまで行われる。中央範囲値スライダの移動中には、サブレンジ・スライダ・バー最大サブレンジ値ウィンドウとサブレンジ・スライダ・バー最小サブレンジ値ウィンドウに表示される値も変化する。具体的に言うと、上範囲スライダが、範囲スライダ・バー最大範囲値ウィンドウに向かって移動する際に、サブレンジ最大値が増加し、上範囲スライダが範囲スライダ・バー最大範囲値ウィンドウに隣接する時にその最大値に達する。サブレンジ・スライダ・バー最小範囲値ウィンドウに表示されるサブレンジ最小値も、同様の形で、スライダ・バーの範囲スライダが上に移動する際に増加し、３つのスライダ・バーが一緒に下に移動する際に、下範囲スライダが範囲スライダ・バー最小範囲値ウィンドウに隣接するまで減少する（この場合、サブレンジ・スライダ・バー最小サブレンジ値ウィンドウに表示される値、たとえばサブレンジ最小値は、最小範囲値と等しくなる）。」
　
Ｊ　「【００２３】本発明の全体動作は次の通りである。３つの範囲スライダは、中央範囲スライダ４８と、中央範囲スライダ４８の上側に配置される上範囲スライダ４６と、中央範囲スライダ４８の下側に配置される下範囲スライダ５０からなる。この上範囲スライダ４６と下範囲スライダ５０の間の距離によって、サブレンジ最大値ウィンドウ６２とサブレンジ最小値ウィンドウ６０に表示される、１７１１ないし１６９１などのサブレンジが定義される。中央範囲スライダ４８を範囲スライダ・バー４２の軸に沿って垂直に移動すると、上範囲スライダ４６および下範囲スライダ５０が中央範囲スライダ４８と一緒に移動し、中央範囲スライダ４８からの事前に指定された距離が維持される。図では、上範囲スライダと下範囲スライダの間の距離によって定義されるサブレンジの大きさが、「２０」（たとえば１７１１−１６９１＝２０）である。したがって、サブレンジ・スライダ・バー４４に関連して表示されるサブレンジの大きさは、同様に、たとえば１７１１−１６９１の「２０」である。上範囲スライダ４６の位置は、サブレンジ・スライダ・バー４４の上最大範囲、たとえば「１７１１」に対応する。同様に、範囲スライダ・バー４２での下範囲スライダ５０の位置は、サブレンジ最小値ウィンドウ６０に示されるサブレンジ最小値、たとえば「１６９１」を定義し、これに対応する。この３つの範囲スライダを範囲スライダ・バー４２上で上下に移動する時、このサブレンジ最大値とサブレンジ最小値の間の差は、２０という一定値に保たれる。しかし、サブレンジ最大値とサブレンジ最小値の実際の値は、範囲スライダ・バー４２での上範囲スライダ４６と下範囲スライダ５０の位置に応じて変化する。具体的に言うと、３つの範囲スライダが上に移動する際には、上範囲スライダ４６と下範囲スライダ５０の間の距離によって定義されるサブレンジは、たとえば「２０」の一定値のままになる。しかし、サブレンジ最大値ウィンドウ６２とサブレンジ最小値ウィンドウ６０の実際の値は、範囲スライダが上に移動するにつれて増加する。
【００２４】これは、図２と図３を比較することによってより明瞭になる。まず、好ましい実施例では、範囲値ウィンドウ５２が、中央範囲スライダ４８に関連して含まれる。この範囲値ウィンドウには、範囲スライダ・バー４２によって表される連続体での中央範囲スライダ４８の位置に対応する値が表示される。図２では、この中央範囲スライダ４８が、範囲スライダ・バー４２の両端のほぼ中央に位置し、その結果、範囲値ウィンドウ５２には値「１７０１」が示され、中央範囲スライダ４８が、範囲スライダ・バー４２に関連する最大範囲値３０００と最小範囲値０の間のほぼ中央にあることが示される。
【００２５】図３では、ユーザが３つの範囲スライダを約９単位上に移動している。したがって、図３の範囲値ウィンドウ５２に示される値は、「１７１０」であり、これは、図２の範囲値ウィンドウ５２に示された値「１７０１」から９だけ増加しており、これによって、範囲スライダが範囲スライダ・バー４２上で上に移動したことが示される。
【００２６】しかし、より重要なことに、図３に対して図２のサブレンジ最大値およびサブレンジ最小値の値を比較すると、図２のサブレンジ最大値およびサブレンジ最小値も「９」すなわち、範囲値ウィンドウ５２の値が増加したのと正確に同じ量だけ増加していることが明らかになる。したがって、本発明の重要な特徴は、範囲スライダ・バー４２に関連する範囲スライダを範囲スライダ・バー４２上で移動する時に、これによってサブレンジ・スライダ・バー４４に表示され、これに関連するサブレンジが調節されることであると認められる。上範囲スライダ４６、中央範囲スライダ４８および下範囲スライダ５０は、９単位だけ上に移動（範囲値ウィンドウ５２の１７０１から１７１０への増加によって反映される）したので、サブレンジ最大値ウィンドウ６２とサブレンジ最小値ウィンドウ６０のサブレンジ最大値およびサブレンジ最小値の値は、同様の形で、９だけ増加し、たとえば、サブレンジ最大値（サブレンジ最大値ウィンドウ６２）の場合は１７１１から１７２０へ、サブレンジ最小値（サブレンジ最小値ウィンドウ６０に表示される）の場合には１６９１から１７００へ増加する。
【００２７】本発明のもう１つの重要な特徴を、図２と図３の比較から知ることができる。「２０」のサブレンジが範囲スライダの移動に関して一定のままになるだけではなく、サブレンジ・スライダ・バー４４に関連する副次的なサブレンジ・スライダ５８を設けることで、以前には範囲スライダ・バー４２を使用することによって指定されていた、このサブレンジ内の値の選択で、より細かい細分性が可能になる。図２では、サブレンジ１６９１ないし１７１１内の特定の値「１７０５」が選択されており、サブレンジ値ウィンドウ６４に示されている。図２の範囲スライダは上に移動され、これによってサブレンジが１７１１ないし１６９１から１７２０ないし１７００へ「上が」ったので、サブレンジ・スライダ・バー４４でのサブレンジ・スライダ５８の位置に対応する値１７０５は、１７０５という一定値のままである。しかし、サブレンジ・スライダ５８の位置は、図２に対して図３ではそれなりに下に移動しており、図２の新しいサブレンジでの異なる位置を表している。それでも、ユーザはサブレンジ最小値ウィンドウ６０とサブレンジ最大値ウィンドウ６２に示される新しいサブレンジの間の距離全体にわたってサブレンジ・スライダ５８を移動させて、サブレンジ値ウィンドウ６４に表示される特定のサブレンジ値を望み通りに変更することができる。
【００２８】ユーザは、サブレンジ・スライダ５８にサブレンジ・スライダ・バーのサブレンジ最大値ウィンドウ６２とサブレンジ最小値ウィンドウ６０の間の距離全体を移動させて、１６９１ないし１７１１（図２の場合）または図３の場合には１７００ないし１７２０のサブレンジの間すなわち大きさ２０のサブレンジを通じて値を選択することができる。しかし、範囲スライダ・バー４２に対する相対的な中央範囲スライダ４８による同一距離の「同一」の移動が、範囲値ウィンドウ５２に示される値０ないし３０００の間（すなわち、最大範囲値ウィンドウ５６と最小範囲値ウィンドウ５４に表示される最大範囲値と最小範囲値の間の範囲）の移動をもたらすことに留意されたい。範囲スライダ・バー４２の両端に関連する範囲（０ないし３０００）は、図２の１７１１ないし１６９１または図３の１７２０ないし１７００によって表されるサブレンジ・スライダ・バー４４のサブレンジに関連する範囲（すなわち「２０」）よりもはるかに大きいので、上範囲スライダ４６、中央範囲スライダ４８および下範囲スライダ５０に範囲スライダ・バー４２に対して相対的に移動させる際にユーザに与えられる細分性は非常に粗いことが容易に理解される。したがって、副次的なサブレンジ・スライダ・バー４４を追加することによって、範囲スライダ・バー４２を使用して設定されるサブレンジから所望の値を選択するためのより高い細分性がユーザに与えられる。
【００２９】前述から、本発明は、ユーザが上範囲スライダ４６、中央範囲スライダ４８および下範囲スライダ５０を用いてサブレンジをグラフィカルに選択する方法を提供し、このサブレンジをサブレンジ・スライダ・バー４４に表示することによって「拡大」することが了解されよう。ユーザは、範囲スライダによって所望のサブレンジを設定した後に、サブレンジ・スライダ・バー４４上でサブレンジ・スライダ５８を移動することによって、サブレンジ内で特定の所望の値に「割り込む」ことができる。ユーザは、これによって、「粗調整」をもたらす中央範囲スライダ４８の移動に対してサブレンジ・スライダ５８の移動の「微調整」またははるかに高い細分性（スライダの同じ移動量に対する小さい値の変化）を得ることができる。」
　
（ケ）上記Ｈ及びＪの記載からすると、参考文献１には、
　範囲スライダ・バーの上範囲スライダ及び下範囲スライダによりサブレンジの最大値及び最小値がそれぞれ定義されるサブレンジ・スライダ・バーにおいて、サブレンジの最大値と最小値がそれぞれ、サブレンジ・スライダー・バーの「最大範囲値ウィンドウ」と「最小範囲値ウィンドウ」に表示されること、また、範囲スライダ・バーの中央範囲スライダを上下に移動すると、サブレンジ・スライダ・バーの「最大サブレンジ値ウィンドウ」と「最小サブレンジ値ウィンドウ」（上記「最大範囲値ウィンドウ」及び「最小範囲値ウィンドウ」とそれぞれ同義と認められる。）に表示される値も変化する
技術（以下、「周知技術１」という。）が記載されている。
　
（３）本願補正発明と引用発明との対比
　
　本願補正発明と引用発明とを対比する。
　
（３−１）引用発明の「データ」及び「所望のデータ」は、それぞれ、本願補正発明の「蓄積情報」及び「特定情報」に相当する。
　したがって、引用発明の「所定の順序に一列に配列された複数のデータの中から検索すべき所望のデータとなるデータを表示させる」は、本願補正発明の「所定の順序に一列に配列された複数の蓄積情報の中から検索すべき特定情報となる蓄積情報を表示させる」に相当する。
　
（３−２）引用発明の「外部記憶装置」及び「格納」は、それぞれ、本願補正発明の「記憶手段」及び「記憶」に相当する。
　したがって、引用発明の「複数の前記データを格納する外部記憶装置」及び「前記外部記憶装置に格納されたデータを表示する表示手段」は、それぞれ、本願補正発明の「複数の前記蓄積情報を記憶する記憶手段」及び「前記記憶手段に記憶された蓄積情報を表示する表示手段」に相当する。
　
（３−３）引用発明の「１画面分のデータ」、「ディスプレイ」、及び「データ表示手段」は、それぞれ、本願補正発明の「所定量の蓄積情報」、「表示画面」、及び「蓄積情報表示手段」に相当する。
　したがって、引用発明の「前記データを所定の順序に一列に配列し、当該データのうちの一部である１画面分のデータを前記所定の順序の配列方向に並べて前記表示手段のディスプレイに表示させるデータ表示手段」は、本願補正発明の「前記蓄積情報を所定の順序に一列に配列し、当該蓄積情報のうちの一部である所定量の前記蓄積情報を前記所定の順序の配列方向に並べて前記表示手段の表示画面に表示させる蓄積情報表示手段」に相当する。
　
（３−４）引用発明の「前記表示手段に表示されたデータに対して、入力操作に基づき前記所定の順序の配列方向のうちの一方向側もしくは他方向側を指定する入力を行う入力手段」は、本願補正発明の「前記表示手段に表示された蓄積情報に対して、入力操作に基づき前記所定の順序の配列方向のうちの一方向側もしくは他方向側を指定する入力を行う入力手段」に相当する。
　
（３−５）引用発明の「データ表示変更手段」は、本願補正発明の「蓄積情報表示変更手段」に相当する。
　したがって、引用発明の「前記入力手段からの入力に基づいて、前記データ表示手段を介して前記表示手段のディスプレイに表示される前記データを変更して表示させるデータ表示変更手段」は、本願補正発明の「前記入力手段からの入力に基づいて、前記蓄積情報表示手段を介して前記表示手段の表示画面に表示される前記蓄積情報を変更して表示させる蓄積情報表示変更手段」に相当する。
　
（３−６）上記Ｆにも記載されるように、引用発明の「画面処理システム」は、二分機能を用いることで、所望のデータを効率よく検索するためのシステムであることから、本願補正発明の「情報検索装置」に相当する。
　
（３−７）引用発明の「前記入力手段から前記配列方向の一方向側もしくは他方向側を指定する入力がある場合に、画面上の先頭行を１次指標としてファイルの最終行を２次指標とし、これら１次指標と２次指標との間の行数の半分だけ、スクロール方向に移動して１画面分のデータを前記ディスプレイに表示させ」における「画面上の先頭行を１次指標としてファイルの最終行を２次指標とし、これら１次指標と２次指標との間の行数の半分だけ、スクロール方向に移動して１画面分のデータを前記ディスプレイに表示させ」るとは、データの全範囲の中から表示手段に表示されているデータに対して入力手段に指定された配列方向側となる略半分の範囲を選択し、当該選択された範囲の先頭行から１画面分のデータをディスプレイに表示させることに他ならない。
　してみると、引用発明の「前記入力手段から前記配列方向の一方向側もしくは他方向側を指定する入力がある場合に、画面上の先頭行を１次指標としてファイルの最終行を２次指標とし、これら１次指標と２次指標との間の行数の半分だけ、スクロール方向に移動して１画面分のデータを前記ディスプレイに表示させ」と、本願補正発明の「前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示画面に表示させ」とは、ともに、“前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲から所定量の前記蓄積情報を前記表示画面に表示させ”る点で共通する。
　
（３−８）引用発明の「前記入力手段から前記配列方向を指定する入力がある毎に、その前の前記入力手段からの配列方向の指定時に選択された範囲から、画面上の先頭行を１次指標としてスクロール方向の最終行を２次指標とし、これら１次指標と２次指標との間の行数の半分だけ、スクロール方向に移動して１画面分のデータを前記ディスプレイに表示させる」における「画面上の先頭行を１次指標としてスクロール方向の最終行を２次指標とし、これら１次指標と２次指標との間の行数の半分だけ、スクロール方向に移動して１画面分のデータを前記ディスプレイに表示させる」とは、その前に選択された範囲から表示手段に表示されているデータに対して入力手段に指定された配列方向側となる略半分の範囲を新たに選択し、当該選択された範囲の先頭行から１画面分のデータをディスプレイに表示させることに他ならない。
　してみると、引用発明の「前記入力手段から前記配列方向を指定する入力がある毎に、その前の前記入力手段からの配列方向の指定時に選択された範囲から、画面上の先頭行を１次指標としてスクロール方向の最終行を２次指標とし、これら１次指標と２次指標との間の行数の半分だけ、スクロール方向に移動して１画面分のデータを前記ディスプレイに表示させる」と、本願補正発明の「前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を新たに選択し、選択された範囲の略中央に配列される所定量の蓄積情報を表示画面に表示させる」とは、ともに、“前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を新たに選択し、選択された範囲から所定量の蓄積情報を表示画面に表示させる”である点で共通する。
　
　以上から、本願補正発明と引用発明とは、以下の点で一致し、また、以下の点で相違する。
　
（一致点）
　
　所定の順序に一列に配列された複数の蓄積情報の中から検索すべき特定情報となる蓄積情報を表示させるために、
　複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段の表示画面に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段の表示画面に表示される前記蓄積情報を変更して表示させる蓄積情報表示変更手段とを備えた情報検索装置において、
　前記蓄積情報表示変更手段は、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲から所定量の前記蓄積情報を前記表示画面に表示させ、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を新たに選択し、選択された範囲から所定量の蓄積情報を表示画面に表示させることを特徴とする情報検索装置。　
　
（相違点１）
　
　蓄積情報表示手段において、本願補正発明が、「前記複数の蓄積情報の全範囲の中から前記配列方向の略中央に配列される所定量の蓄積情報を前記表示手段の表示画面に表示させる」ものであるのに対して、引用発明は、「前記複数のデータの全範囲の中から、先頭行から１画面分のデータを前記表示手段のディスプレイに表示させ」るものである点。
　
（相違点２）
　
　蓄積情報表示手段において、本願補正発明が、「前記表示画面の所定量の前記蓄積情報が表示された位置より表示上の前記蓄積情報の配列方向の一方向側になる一方向側位置に、全範囲の前記蓄積情報のうちの前記配列方向の一方向側で最も端に配列される蓄積情報を表示し、かつ、前記表示画面の所定量の前記蓄積情報が表示された位置より表示上の前記蓄積情報の配列方向の他方向側になる他方向側位置に、全範囲の前記蓄積情報のうちの他方向側で最も端に配列される蓄積情報を表示させ」るものであるのに対して、引用発明は、全範囲のデータのうちの両端に配列されるデータを表示させる機能を備えていない点。
　
（相違点３）
　
　蓄積情報表示変更手段における選択された範囲の画面表示に関して、本願補正発明が、「（新たに）選択された範囲の略中央に配列される所定量の前記蓄積情報を前記表示画面に表示させ」るものであるのに対して、引用発明は、（新たに）選択された範囲の先頭行から１画面分のデータをディスプレイに表示させるものである点。
　
（相違点４）
　
　蓄積情報表示変更手段において、本願補正発明が、「前記一方向側位置に、前記選択された範囲の前記蓄積情報のうちの前記配列方向の一方向側で最も端に配列される蓄積情報を表示し、かつ、前記他方向側位置に、前記選択された範囲の前記蓄積情報のうちの他方向側で最も端に配列される蓄積情報を表示させ、」「新たな範囲が選択される度に、前記一方向側位置に、新たに選択された範囲の前記蓄積情報のうちの前記配列方向の一方向側で最も端に配列される蓄積情報を表示し、かつ、前記他方向側位置に、新たに選択された範囲の前記蓄積情報のうちの他方向側で最も端に配列される蓄積情報を表示させる」ものであるのに対して、引用発明は、選択された範囲のデータのうちの両端に配列されるデータを表示させる機能を備えていない点。
　
（４）当審の判断
　
　上記相違点１ないし相違点４について検討する。
　
（４−１）相違点１及び相違点３について
　
　引用発明も、本願補正発明も、当該技術分野において慣用的に用いられている「二分探索法」という検索技術を用いて、目的の情報を検索する点で共通する。
　そして、引用発明においても、前回選択された範囲の略中央に配列される１画面分のデータをディスプレイに表示させ、入力手段から配列方向の一方向側もしくは他方向側を指定する入力がある毎に、前回選択された範囲の略中央に配列される１画面分のデータをディスプレイに表示させることを繰り返すことで、目的のデータを検索するものである。
　すなわち、引用発明も、本願補正発明も、入力手段から配列方向を指定する入力がある毎に、常に略中央に配列される所定量の蓄積情報を表示させていくという周知の二分探索法を用いることで、効率的に目的となる蓄積情報を検索している点において、実質的に同一であるということができる。
　そして、初期画面表示を、引用発明のように全範囲の先頭から所定量を表示させるようにするか、本願補正発明のように全範囲の略中央の所定量を表示させるようにするかについては、当業者が適宜選択しうる設計事項に過ぎない。
　してみると、引用発明においても、初期画面表示において、全範囲の略中央に配列される１画面分のデータを表示させるようにし、入力手段から配列方向を指定する入力がある毎に、常に略中央に配列される所定量の蓄積情報を表示させるように構成すること、すなわち、相違点１及び相違点３に係る構成とすることは、当業者が容易に想到し得たことである。
　
　よって、相違点１及び相違点３は格別なものではない。
　
（４−２）相違点２及び相違点４について
　
　上記参考文献１に周知技術１として記載されているように、データの範囲を明確化させるために、変更されるスクロール範囲に対して、当該スクロール範囲の両端のデータを、常に表示画面に表示させる技術は、情報処理の技術分野において、慣用的に用いられている周知技術にすぎない。
　また、両端に配列される情報を画面上に表示させておき、両端以外の部分をスクロールさせる技術についても、周知技術（必要であれば、特開平７−５６７０６号（特に、段落【００１８】〜【００２６】、図４、図５）等参照。）にすぎない。
　してみると、引用発明においても、初期画面表示において、全範囲の両端に配列される蓄積情報を表示し、入力手段から配列方向を指定する入力がある毎に、選択された範囲の両端に配列される蓄積情報を表示させるように構成すること、すなわち、相違点２及び相違点４に係る構成とすることは、当業者が容易に想到し得たことである。
　
　よって、相違点２及び相違点４は格別なものではない。
　
（４−３）小括
　
　上記で検討したごとく、相違点１ないし相違点４は格別のものではなく、そして、これらの相違点を総合的に勘案しても、本願補正発明の奏する作用効果は、上記引用発明及び周知技術の奏する作用効果から予測される範囲内のものにすぎず、格別顕著なものということはできない。
　
　したがって、本願補正発明は、上記引用発明及び周知技術に基づいて、当業者が容易に発明をすることができたものであり、特許法第２９条第２項の規定により、特許出願の際独立して特許を受けることができない。
　
４．むすび
　
　以上のとおり、補正後の請求項１に記載された発明は、上記「３．独立特許要件」で指摘したとおり、特許出願の際独立して特許を受けることができるものではないから、本件補正は、平成１８年法律第５５号改正附則第３条第１項によりなお従前の例によるとされる同法による改正前の特許法第１７条の２第５項の規定により準用する特許法第１２６条第５項の規定に違反するので、特許法第１５９条第１項において読み替えて準用する同法第５３条第１項の規定により却下すべきものである。
　
　よって、補正却下の決定の結論のとおり決定する。
　
　
第３　本願発明について 
　
１．本願発明
　
　平成２２年１２月７日付けの手続補正は上記のとおり却下されたので、本願の請求項１に係る発明（以下、「本願発明」という。）は、平成２２年７月１２日付け手続補正書の特許請求の範囲の請求項１に記載された事項により特定される、以下のとおりのものである。
　
「所定の順序に一列に配列された複数の蓄積情報の中から検索すべき特定情報となる蓄積情報を表示させるために、
　複数の前記蓄積情報を記憶する記憶手段と、
　前記記憶手段に記憶された蓄積情報を表示する表示手段と、
　前記蓄積情報を所定の順序に一列に配列し、当該蓄積情報のうちの一部である所定量の前記蓄積情報を前記所定の順序の配列方向に並べて前記表示手段に表示させる蓄積情報表示手段と、
　前記表示手段に表示された蓄積情報に対して、入力操作に基づき前記所定の順序の配列方向のうちの一方向側もしくは他方向側を指定する入力を行う入力手段と、
　前記入力手段からの入力に基づいて、前記蓄積情報表示手段を介して前記表示手段に表示される前記蓄積情報を変更して表示させる蓄積情報表示変更手段とを備えた情報検索装置において、
　前記蓄積情報表示変更手段は、前記複数の蓄積情報の全範囲の中から前記配列方向の略中央に配列される所定量の蓄積情報を前記表示手段に表示させ、
　前記入力手段から前記配列方向の一方向側もしくは他方向側を指定する入力がある場合に、前記蓄積情報の全範囲の中から前記表示手段に表示されている前記蓄積情報に対して前記入力手段に指定された配列方向側となる略半分の範囲を選択し、選択された範囲の略中央に配列される所定量の前記蓄積情報を前記表示手段に表示させ、
　前記入力手段から前記配列方向を指定する入力がある毎に、その前の前記入力手段からの配列方向の指定時に選択された範囲から前記表示手段に表示されている所定量の蓄積情報に対して前記入力手段に指定された配列方向側となる略半分の範囲を選択し、選択された範囲の略中央に配列される所定量の蓄積情報を表示手段に表示させ、
　前記蓄積情報表示手段は、前記表示手段の表示画面に、所定量の前記蓄積情報を前記所定の順序の配列方向に並べて表示するとともに、前記表示画面の所定量の前記蓄積情報が表示された位置より表示上の前記蓄積情報の配列方向の一方向側の位置に、全範囲の前記蓄積情報のうちの一方向側で最も端に配列される蓄積情報を表示し、かつ、前記表示画面の所定量の前記蓄積情報が表示された位置より表示上の前記蓄積情報の配列方向の他方向側の位置に、全範囲の前記蓄積情報のうちの他方向側で最も端に配列される蓄積情報を表示することを特徴とする情報検索装置。」
　
２．引用文献に記載されている技術的事項及び引用発明の認定
　
　原査定の拒絶の理由に引用された、引用文献およびその記載事項は、前記「第２　平成２２年１２月７日付けの手続補正についての補正却下の決定」の「３．独立特許要件」の「（２）先行技術」の「（２−１）引用文献に記載されている技術的事項及び引用発明の認定」に記載したとおりである。
　
３．対比・判断 
　
　本願発明は、前記「第２　平成２２年１２月７日付けの手続補正についての補正却下の決定」の「３．独立特許要件」で検討した本願補正発明の「表示手段の表示画面に表示」から「の表示画面」を削除し、「前記蓄積情報表示変更手段」から、「前記一方向側位置に、前記選択された範囲の前記蓄積情報のうちの前記配列方向の一方向側で最も端に配列される蓄積情報を表示し、かつ、前記他方向側位置に、前記選択された範囲の前記蓄積情報のうちの他方向側で最も端に配列される蓄積情報を表示させ、」及び「新たな範囲が選択される度に、前記一方向側位置に、新たに選択された範囲の前記蓄積情報のうちの前記配列方向の一方向側で最も端に配列される蓄積情報を表示し、かつ、前記他方向側位置に、新たに選択された範囲の前記蓄積情報のうちの他方向側で最も端に配列される蓄積情報を表示させる」という限定を削除したものである。
　
　そうすると、本願発明の発明特定事項を全て含む本願補正発明が、上記「第２　平成２２年１２月７日付けの手続補正についての補正却下の決定」の「３．独立特許要件」の「（２）先行技術」ないし「（４）当審の判断」に記載したとおり、引用発明及び周知技術に基づいて当業者が容易に発明をすることができたものであるから、本願発明も同様の理由により、引用発明及び周知技術に基づいて、当業者が容易に発明をすることができたものである。
　
４．むすび
　
　以上のとおり、本願の請求項１に係る発明は、特許法第２９条第２項の規定により特許を受けることができないものであるから、その余の請求項に係る発明について検討するまでもなく、本願は拒絶すべきものである。
　
　よって、結論のとおり審決する。